(57)【要約】【課題】  通信ノード間で授受されるフレームの優先度が階層化された情報ネットワークにおいて、各階層に付与される帯域の総和を、情報ネットワークの物理的な帯域に基づいて的確に管理する。【解決手段】  ＲＰＲリング１０を介して接続される複数のＲＰＲ局２０を備え、個々のＲＰＲ局２０に接続されるルータ６０を介して、ユーザが情報通信を行う情報ネットワークにおいて、複数のＲＰＲ局２０を管理する管理用情報ネットワーク１３が、個々のＲＰＲ局２０におけるクラスＡ（サブクラスＡ０，Ａ１）およびクラスＢの全てに関するＣＩＲの設定状態を収集および監視し、全てのＲＰＲ局２０におけるクラスＡおよびクラスＢの全てのＣＩＲの総和が、ＲＰＲリング１０の物理的なＲｉｎｇ帯域を超えないように管理する。【選択図】図１
2006261825.tif 000002
【特許請求の範囲】
【請求項１】
複数の通信ノードがリング状伝送路にて接続され、前記通信ノード間で授受されるフレームに複数の優先度が付与された情報ネットワークの制御方法であって、
前記優先度の各々の階層について、個々の前記通信ノードに設定された前記リング状伝送路における帯域保証値を認識する工程と、
任意の前記通信ノードにおいて新たな前記帯域保証値の割り当てを受け付けるとき、現在の前記帯域保証値の総和と新たな前記帯域保証値の割り当て値との和が、前記リング状伝送路の物理的な伝送帯域を超過するか否かを判別する工程と、
を含むことを特徴とする情報ネットワークの制御方法。
【請求項２】
複数の通信ノードがリング状伝送路にて接続され、前記通信ノード間で授受されるフレームに複数の優先度が付与された情報ネットワークの制御方法であって、
前記優先度の各々の階層について、個々の前記通信ノードに設定されたリング状伝送路における帯域保証値を全ての前記通信ノードに通知する工程と、
任意の前記通信ノードにおいて新たな前記帯域保証値の割り当てを受け付けるとき、現在の前記帯域保証値の総和と新たな前記帯域保証値の割り当て値との和が、前記リング状伝送路の物理的な伝送帯域を超過するか否かを判別する工程と、
を含むことを特徴とする情報ネットワークの制御方法。
【請求項３】
リング状伝送路に接続されて情報ネットワークを構成し、前記情報ネットワーク上に流すフレームに複数の優先度を付与する通信ノードであって、
前記優先度の各々の階層について、自通信ノードに設定された前記リング状伝送路における帯域保証値を他の前記通信ノードに通知する通知手段と、
前記リング状伝送路に接続された全ての前記通信ノードにおける前記帯域保証値を記憶する記憶手段と、
自通信ノードにおいて新たな前記帯域保証値の割り当てを受け付けるとき、複数の前記通信ノードにおける現在の前記帯域保証値の総和と新たな前記帯域保証値の割り当て値との和が、前記リング状伝送路の物理的な伝送帯域を超過するか否かを判別する判別手段と、
を含むことを特徴とする通信ノード。
【請求項４】
複数の通信ノードがリング状伝送路にて接続され、前記通信ノード間で授受されるフレームに複数の優先度が付与された情報ネットワークを管理するネットワーク管理装置であって、
前記優先度の各々の階層について、個々の前記通信ノードに設定されたリング状伝送路における帯域保証値を収集する収集手段と、
任意の前記通信ノードにおいて新たな前記帯域保証値の割り当てを受け付けるとき、現在の前記帯域保証値の総和と新たな前記帯域保証値の割り当て値との和が、前記リング状伝送路の物理的な伝送容量を超過するか否かを判別する判別手段と、
を含むことを特徴とするネットワーク管理装置。
【請求項５】
複数の通信ノードと、前記通信ノード間を接続するリング状伝送路とを含み、前記通信ノード間で授受されるフレームに複数の優先度が付与された情報ネットワークシステムであって、
個々の前記通信ノードは、
前記リング状伝送路に接続された全ての前記通信ノードにおける前記帯域保証値を記憶する記憶手段と、
自通信ノードにおいて新たな前記帯域保証値の割り当てを受け付けるとき、複数の前記通信ノードにおける現在の前記帯域保証値の総和と新たな前記帯域保証値の割り当て値との和が、前記リング状伝送路の物理的な伝送帯域を超過するか否かを判別する判別手段と、
を含むことを特徴とする情報ネットワークシステム。
【発明の詳細な説明】
【技術分野】
【０００１】
本発明は、情報ネットワークの制御方法、通信ノード、ネットワーク管理装置、情報ネットワークシステムに関し、特に、通信帯域の予約設定が可能な情報ネットワーク等に適用して有効な技術に関する。
【背景技術】
【０００２】
ＩＥＥＥ８０２．１７−２００４にて規定されているＲＰＲ（Resilient Packet Ring）技術では、リング中を伝播するフレームにクラスＡからクラスＣまで３つの優先度を付与することができる。クラスＡとクラスＢのフレームについては、ＲＰＲリング上にあるＲＰＲ局（ステーション）からＲＰＲリング中にフレームを送出するのに伝送帯域を絶対保証しなければならず、これをＣＩＲ（Committed Information Rate）と呼ぶ。ＣＩＲとして定義された伝送帯域がＲＰＲリング上で絶対保障されるためには、ＲＰＲリング上にある各ＲＰＲ局で定義されたＣＩＲの総和がＲＰＲリングの伝送帯域よりも小さくなる必要がある。
【０００３】
例えばＲＰＲリングの伝送帯域が１Ｇｂｐｓであり、ＲＰＲリング上に６個のＲＰＲ局が存在する場合に各ＲＰＲ局にて一様にクラスＡのＣＩＲを２００Ｍｂｐｓと設定したとする。このとき、リング全体でのＣＩＲの総和は２００Ｍｂｐｓ×６＝１．２Ｇｂｐｓとなり、ＲＰＲリングの伝送帯域を越えてしまう。このようなＣＩＲ設定がされると伝送帯域の絶対保証はできない。そのためＩＥＥＥ８０２．１７−２００４では各ＲＰＲ局で設定されているクラスＡ  ＣＩＲの値をＲＰＲリング上に流れる制御フレームを使ってその他のＲＰＲ局に通知し、それによって各ＲＰＲ局は現在ＲＰＲリング上にて予約されているクラスＡ  ＣＩＲの総和を知ることができる。
【０００４】
ＩＥＥＥ８０２．１７−２００４においてはクラスＡには厳密にはサブクラスＡ０とサブクラスＡ１の２つが定義されており、サブクラスＡ０については上述のとおり各ＲＰＲ局が自局のＣＩＲ値をＲＰＲリング上へ告知する動作を仕様化しているが、サブクラスＡ１についてはその限りでない。またクラスＢのＣＩＲ値についてもサブクラスＡ１同様、ＲＰＲリング上への告知を仕様化していない。
【０００５】
サブクラスＡ１およびクラスＢのＣＩＲ値がＲＰＲリング上に告知されていないということはＲＰＲリング上の各ＲＰＲ局にて設定されたサブクラスＡ０／Ａ１およびクラスＢすべてのＣＩＲ値の総和が伝送帯域を超えてしまうような場合にそのような設定を予防することができない、または設定されてしまったことに対して警報を発することができない、ことを意味する。
【０００６】
例えば図１１のように４つのＲＰＲ局間（２−１，２−２，２−３，２−４）で伝送を行う場合、それぞれの局にてサブクラスＡ０、サブクラスＡ１およびクラスＢのＣＩＲ値（ｍ１，ｌ１，ｋ１〜ｍ４，ｌ４，ｋ４）を設定する。サブクラスＡ０のＣＩＲ値は設定局からその他の局に対して制御フレームを用いて通知される。例えば２−１局におけるＡ０  ＣＩＲ＝ｍ１（Ｍｂｐｓ：Megabit per second）という値は、他の２−２、２−３、２−４局にあまねく通知される。また２−１局はその他の局からそれぞれで設定されているＡ０  ＣＩＲ値が通知されてくる。そのためそれぞれの局はＲＰＲリング全体でどれだけのＡ０  ＣＩＲ（＝ｍ１＋ｍ２＋ｍ３＋ｍ４）が予約されているのかを知ることができる。しかし、Ａ１  ＣＩＲやＢ  ＣＩＲの値はＲＰＲ局間でお互いに通知しあうことはない。そのような状況では各ＲＰＲ局はＲＰＲリングの伝送帯域ｎＭｂｐｓのうちどれだけ空き帯域があるかを知るのに、式（１）に依る見かけの空き帯域しか知ることができない。
【０００７】
見かけの空き帯域  = n-(m1+m2+m3+m4)                          …(1)
しかし、実際の空き帯域は式（２）のようになる。
実際の空き帯域 = n-(m1+m2+m3+m4)-(l1+l2+l3+l4)-(k1+k2+k3+k4)  …(2)
各ＲＰＲ局において見かけの空き帯域を元にサブクラスＡ１やクラスＢのＣＩＲを設定するとＲＰＲリング全体のＣＩＲの総和がＲＰＲリングの伝送帯域を越えてしまう可能性があり、サブクラスＡ１やクラスＢの伝送帯域を保証することはできなくなってしまう。なお、サブクラスＡ０についてはＩＤＬＥフレームを使って常に帯域確保されているので確実に伝送帯域が保証される。
【０００８】
特許文献１には、ＭＰＬＳ網のＡＦ／ＥＦの各クラスの帯域再配分を、各クラス内で均等に行うことで、ＡＦクラス出力帯域の公平な配分を実現しようとする技術が開示されている。しかし、各クラス階層に割り当てられる帯域の総和と、物理媒体の帯域との関係を管理する技術については、全く言及がない。
【特許文献１】特開２００４−１９３９７５号公報
【発明の開示】
【発明が解決しようとする課題】
【０００９】
本発明の目的は、通信ノード間で授受されるフレームの優先度が階層化された情報ネットワークにおいて、各階層に付与される帯域の総和を、情報ネットワークの物理的な帯域に基づいて的確に管理することが可能な技術を提供することにある。
【００１０】
本発明の他の目的は、ＲＰＲリングにおいてサブクラスＡ０のＣＩＲだけでなくサブクラスＡ１およびクラスＢのＣＩＲについてもＲＰＲリング内で的確な帯域保証を行うことにある。
【００１１】
本発明の他の目的は、ＲＰＲリングにおいてサブクラスＡ０のＣＩＲだけでなくサブクラスＡ１およびクラスＢのＣＩＲを考慮して不正な帯域保証を的確に抑止することにある。
【課題を解決するための手段】
【００１２】
本発明の第１の観点は、複数の通信ノードがリング状伝送路にて接続され、前記通信ノード間で授受されるフレームに複数の優先度が付与された情報ネットワークの制御方法であって、
前記優先度の各々の階層について、個々の前記通信ノードに設定された前記リング状伝送路における帯域保証値を認識する工程と、
任意の前記通信ノードにおいて新たな前記帯域保証値の割り当てを受け付けるとき、現在の前記帯域保証値の総和と新たな前記帯域保証値の割り当て値との和が、前記リング状伝送路の物理的な伝送帯域を超過するか否かを判別する工程と、
を含む情報ネットワークの制御方法を提供する。
【００１３】
本発明の第２の観点は、複数の通信ノードがリング状伝送路にて接続され、前記通信ノード間で授受されるフレームに複数の優先度が付与された情報ネットワークの制御方法であって、
前記優先度の各々の階層について、個々の前記通信ノードに設定されたリング状伝送路における帯域保証値を全ての前記通信ノードに通知する工程と、
任意の前記通信ノードにおいて新たな前記帯域保証値の割り当てを受け付けるとき、現在の前記帯域保証値の総和と新たな前記帯域保証値の割り当て値との和が、前記リング状伝送路の物理的な伝送帯域を超過するか否かを判別する工程と、
を含む情報ネットワークの制御方法を提供する。
【００１４】
本発明の第３の観点は、リング状伝送路に接続されて情報ネットワークを構成し、前記情報ネットワーク上に流すフレームに複数の優先度を付与する通信ノードであって、
前記優先度の各々の階層について、自通信ノードに設定された前記リング状伝送路における帯域保証値を他の前記通信ノードに通知する通知手段と、
前記リング状伝送路に接続された全ての前記通信ノードにおける前記帯域保証値を記憶する記憶手段と、
自通信ノードにおいて新たな前記帯域保証値の割り当てを受け付けるとき、複数の前記通信ノードにおける現在の前記帯域保証値の総和と新たな前記帯域保証値の割り当て値との和が、前記リング状伝送路の物理的な伝送帯域を超過するか否かを判別する判別手段と、
を含む通信ノードを提供する。
【００１５】
本発明の第４の観点は、複数の通信ノードがリング状伝送路にて接続され、前記通信ノード間で授受されるフレームに複数の優先度が付与された情報ネットワークを管理するネットワーク管理装置であって、
前記優先度の各々の階層について、個々の前記通信ノードに設定されたリング状伝送路における帯域保証値を収集する収集手段と、
任意の前記通信ノードにおいて新たな前記帯域保証値の割り当てを受け付けるとき、現在の前記帯域保証値の総和と新たな前記帯域保証値の割り当て値との和が、前記リング状伝送路の物理的な伝送容量を超過するか否かを判別する判別手段と、
を含むネットワーク管理装置を提供する。
【００１６】
本発明の第５の観点は、複数の通信ノードと、前記通信ノード間を接続するリング状伝送路とを含み、前記通信ノード間で授受されるフレームに複数の優先度が付与された情報ネットワークシステムであって、
個々の前記通信ノードは、
前記リング状伝送路に接続された全ての前記通信ノードにおける前記帯域保証値を記憶する記憶手段と、
自通信ノードにおいて新たな前記帯域保証値の割り当てを受け付けるとき、複数の前記通信ノードにおける現在の前記帯域保証値の総和と新たな前記帯域保証値の割り当て値との和が、前記リング状伝送路の物理的な伝送帯域を超過するか否かを判別する判別手段と、
を含む情報ネットワークシステムを提供する。
【発明の効果】
【００１７】
本発明によれば、通信ノード間で授受されるフレームの優先度が階層化された情報ネットワークにおいて、各階層に付与される帯域の総和を、情報ネットワークの物理的な帯域に基づいて的確に管理することが可能となる。
【００１８】
また、ＲＰＲリングにおいてサブクラスＡ０のＣＩＲだけでなくサブクラスＡ１およびクラスＢのＣＩＲについてもＲＰＲリング内で的確な帯域保証を行うことが可能になる。
また、ＲＰＲリングにおいてサブクラスＡ０のＣＩＲだけでなくサブクラスＡ１およびクラスＢのＣＩＲを考慮して不正な帯域保証を的確に抑止することができる。
【発明を実施するための最良の形態】
【００１９】
以下、図面を参照しながら、本発明の実施の形態について詳細に説明する。
（実施の形態１）
図１は、本発明の一実施の形態である情報ネットワークシステムの構成の一例を示す概念図であり、図２は、本実施の形態の情報ネットワークシステムを構成するネットワーク管理システムの構成の一例を示す概念図、図３は、本実施の形態のネットワーク管理システムが持つデータベースの構成の一例を示す概念図である。
【００２０】
図１に例示されるように、本実施の形態の情報ネットワークシステムは、ＲＰＲリング１０と、このＲＰＲリング１０を介して相互に接続される複数のＲＰＲ局２０と、ネットワーク管理システム３０を含んでいる。
【００２１】
ＲＰＲリング１０は、情報の伝達方向が互いに逆のリングレット１１およびリングレット１２によって二重に構成されている。
ＲＰＲ局２０にて相互に接続された複数のＲＰＲ局２０の各々は、ルータ６０を介して図示しないＬＡＮ等の情報ネットワークに接続されている。そして、個々のＲＰＲ局２０は、ルータ６０を介してＬＡＮ側から受け取った情報からデータフレームを生成し、このデータフレームを用いて、ＲＰＲリング１０を介して、ＬＡＮ間の情報中継を行う。
【００２２】
個々のＲＰＲ局２０は、たとえば、ＲＰＲ以外のＳＯＮＥＴ／ＳＤＨ等の管理用情報ネットワーク１３を介してネットワーク管理システム３０に接続されている。
図２に例示されるように、本実施の形態のネットワーク管理システム３０は、ＭＰＵ（マイクロプロセッサユニット）３１、主記憶３２、ネットワークインターフェイス３３、外部記憶装置３４、ユーザインターフェイス３５およびバス３６を備えている。
【００２３】
ＭＰＵ３１は、主記憶３２に格納された図示しないプログラムを実行することで、ネットワーク管理システム３０の全体を制御する。
ネットワークインターフェイス３３は、管理用情報ネットワーク１３を介して個々のＲＰＲ局２０に接続されており、このネットワークインターフェイス３３、管理用情報ネットワーク１３を介して、ＲＰＲ局２０からの情報収集を行う。
【００２４】
本実施の形態の場合、主記憶３２には、帯域管理プログラム３２ａが格納されており、この帯域管理プログラム３２ａをＭＰＵ３１が実行することで、後述の図４のフローチャートに例示されるような帯域管理処理が行われる。
【００２５】
外部記憶装置３４には、ＣＩＲ値管理データベース３７が設けられており、個々のＲＰＲ局２０から管理用情報ネットワーク１３を介して収集されたＣＩＲ値等の情報が格納される。
【００２６】
図３に例示されるように、ＣＩＲ値管理データベース３７は、ＲＰＲ局番号３７ａ、サブクラスＡ０＿ＣＩＲ値３７ｂ、サブクラスＡ１＿ＣＩＲ値３７ｃ、クラスＢ＿ＣＩＲ値３７ｄの情報が格納される。
【００２７】
上述のように、ＲＰＲでは、ＲＰＲリング１０中を伝播するフレームにクラスＡからクラスＣまで３つの優先度を付与することができる。クラスＡとクラスＢのフレームについては、ＲＰＲリング上にあるＲＰＲ局２０からＲＰＲリング１０中にフレームを送出するのに伝送帯域を絶対保証しなければならず、これをＣＩＲ（Committed Information Rate）と呼ぶ。ＣＩＲとして定義された伝送帯域がＲＰＲリング上で絶対保障されるためには、ＲＰＲリング１０上にある各ＲＰＲ局２０で定義されたＣＩＲの総和がＲＰＲリング１０の物理的な伝送帯域（以下、Ｒｉｎｇ帯域ＲＢと記す）よりも小さくなる必要がある。
【００２８】
本実施の形態の場合には、複数のＲＰＲ局２０の各々におけるＣＩＲ値を、ネットワーク管理システム３０が、ＣＩＲ値管理データベース３７を用いて集中して管理することで、ＲＰＲ局２０で定義されたＣＩＲの総和がＲＰＲリング１０の物理的な伝送帯域よりも小さくなるように制御する。
【００２９】
ＣＩＲ値管理データベース３７において、ＲＰＲ局番号３７ａは、ＲＰＲリング１０に接続された個々のＲＰＲ局２０にユニークに付与されたＲＰＲ局番号が格納される。サブクラスＡ０＿ＣＩＲ値３７ｂおよびサブクラスＡ１＿ＣＩＲ値３７ｃには、対応するＲＰＲ局番号３７ａにて特定されるＲＰＲ局２０におけるクラスＡのサブクラスＡ０およびサブクラスＡ１のＣＩＲ値が格納される。同様に、クラスＢ＿ＣＩＲ値３７ｄには、対応するＲＰＲ局番号３７ａにて特定されるＲＰＲ局２０におけるクラスＢのＣＩＲ値が格納される。
【００３０】
ユーザインターフェイス３５は、たとえば、キーボードやディスプレイからなり、ＣＩＲ値管理データベース３７の内容等の情報の表示や、ネットワーク管理システム３０のシステム管理者による管理作業時の情報入力に用いられる。
【００３１】
このように、本実施の形態１の場合、ＲＰＲリング１０上にある全てのＲＰＲ局２０の設定情報、運用状態等の情報を収集管理することが可能なネットワーク管理システム３０を使用して、複数のＲＰＲ局２０におけるＣＩＲを集中する。このネットワーク管理システム３０は、管理用情報ネットワーク１３を介して、ＲＰＲリング１０上の全てのＲＰＲ局２０からＣＩＲ設定情報を個別に収集することができ、ネットワーク管理システム３０の持つＣＩＲ値管理データベース３７上で一括管理することが可能である。
【００３２】
ネットワーク管理システム３０の帯域管理プログラム３２ａは、一つのＲＰＲ局２０からその局で設定されているサブクラスＡ０、サブクラスＡ１およびクラスＢそれぞれのＣＩＲ値を読み出す機能を持つ。
【００３３】
また、ネットワーク管理システム３０はＲＰＲリング１０がもつ物理的な伝送帯域（Ｒｉｎｇ帯域ＲＢ）の情報を同時にＲＰＲ局２０から収集する。
例えば図１にあるＲＰＲリングネットワークを管理するネットワーク管理システム３０のデータベースでは各ＲＰＲ局２０のＣＩＲ情報を図３のように管理する。
【００３４】
すなわち、図１および図３の例では、ＲＰＲ局番号３７ａが“２−１”のＲＰＲ局２０では、Ａ０、Ａ１、ＢのＣＩＲ値が、それぞれｍ１，ｌ１，ｋ１であり、この値が、ＣＩＲ値管理データベース３７のＲＰＲ局番号３７ａが“２−１“のサブクラスＡ０＿ＣＩＲ値３７ｂ、サブクラスＡ１＿ＣＩＲ値３７ｃおよびクラスＢ＿ＣＩＲ値３７ｄに記録されている。
【００３５】
このＣＩＲ値管理データベース３７を使ってネットワーク管理システム３０はＲＰＲリング１０の全体で予約されているＣＩＲ値の総和を把握し、かつＲＰＲリング１０の伝送帯域の空き容量を把握することができる。
【００３６】
ＲＰＲリング１０の伝送帯域を超えるようなＣＩＲ設定がなされた場合には、ネットワーク管理システム３０から該当するＲＰＲ局２０に対して警報を出す。
以下、図４のフローチャート等を参照して、本実施の形態のネットワーク管理システム３０の作用の一例をついて説明する。
【００３７】
まず、ネットワーク管理システム３０は、管理用情報ネットワーク１３を介して、ＲＰＲリング１０のＲｉｎｇ帯域ＲＢ、および個々のＲＰＲ局２０から各クラス（サブクラスＡ０、サブクラスＡ１およびクラスＢ）のＣＩＲ値の設定状態の情報収集を行い、ＣＩＲ値管理データベース３７に格納する（ステップ２０１）。
【００３８】
そして、現在の個々のＲＰＲ局２０（ＲＰＲ局２０の総数＝ＮＲ）における各クラスの使用帯域の総和を、Ｒｉｎｇ帯域ＲＢから差し引いて、空き帯域Ｎｅを計算しておく（ステップ２０２）。
【００３９】
その後、任意のＲＰＲ局２０にて、サブクラスＡ０、サブクラスＡ１、クラスＢにおける帯域の追加要求が発生すると（ステップ２０３）、ネットワーク管理システム３０は、追加要求された要求帯域Ｎが現在の空き帯域Ｎｅを超過するか否かを判別し（ステップ２０４）、超過する場合には、要求帯域Ｎの追加要求を拒絶して要求元に警告を発し（ステップ２０６）、新たな帯域の追加要求待ちに戻る。
【００４０】
ステップ２０４で空き帯域Ｎｅが要求帯域Ｎよりも大きい場合は、要求帯域Ｎの追加要求の割り当てが可能と判断して、要求帯域Ｎの割り当てを許可した後（ステップ２０５）、次の、割り当て要求に備えて、ステップ２０２に戻って、空き帯域Ｎｅの再計算を行う。
【００４１】
（実施の形態２）
上述の実施の形態１では、ネットワーク管理システム３０が個々のＲＰＲ局２０のＣＩＲ値の収集および管理を行う場合を例示したが、この実施の形態２では、複数のＲＰＲ局２０の各々が、互いにＣＩＲの設定値を授受し、個々のＲＰＲ局２０において、ＣＩＲ値の管理を行う場合を例示する。なお、情報ネットワークシステムの基本的な構成は図１と、同様であり、同一の要素には、同一の符号を付して、説明は割愛する。
【００４２】
ＲＰＲ局２０は従来では、サブクラスＡ０についてのみＣＩＲの設定値を他のＲＰＲ局２０へ通知しており、ＲＰＲリング１０上にある全てのＲＰＲ局２０がＲＰＲリング１０の全体のサブクラスＡ０  ＣＩＲ帯域を把握する仕組みがＩＥＥＥ８０２．１７の標準とされている。
【００４３】
本実施の形態２ではサブクラスＡ１やクラスＢのＣＩＲ情報についても他ＲＰＲ局へ通知する機能、さらに他のＲＰＲ局２０からの同様の情報を受信する機能およびその情報からＲＰＲリング１０の伝送帯域の空き容量を計算し、空き容量を超えるようなＣＩＲ設定が実施されることを防ぐ機能、を持つＲＰＲ局２０を例示する。
【００４４】
図５は、本実施の形態２における個々のＲＰＲ局２０の構成例を示している。ＲＰＲリング１０に接続される個々のＲＰＲ局２０は、フィルタ２１、トランジット・キュー２１ａ、ＣＩＲ管理部２２、スケジューラー２３、Ｄｒｏｐキュー２４、Ａｄｄキュー２５、制御フレーム処理部２６、トポロジデータベース２７、制御フレーム生成部２８、ＲＰＲフレーマー２９、イーサネット（登録商標）ブリッジ２９ａ、を含んでいる。
【００４５】
たとえば、ＣＩＲ管理部２２、制御フレーム処理部２６、トポロジデータベース２７、制御フレーム生成部２８は、ＲＰＲ局２０を構成するコンピュータのソフトウェアやファームウェア等の制御プログラムで実現することができる。
【００４６】
ＲＰＲリング１０から到来するＲＰＲフレームのデータフレームは、各クラス毎にＤｒｏｐキュー２４に取り込まれ、ＲＰＲフレーマー２９で付加情報の除去が行われた後、イーサネット（登録商標）ブリッジ２９ａを介して対応するルータ６０に受け渡される。
【００４７】
逆に、ルータ６０から到来する送信データは、ＲＰＲフレーマー２９にてＲＰＲフレームに構成され、各クラス毎にＡｄｄキュー２５に格納され、スケジューラー２３にて制御される送信タイミングにてＲＰＲリング１０に送り出される。
【００４８】
ＲＰＲリング１０を単に通過するフレームは、トランジット・キュー２１ａに一端保持され、スケジューラー２３による送信タイミングでＲＰＲリング１０に送り出される。
上述のように、ＲＰＲリング１０からきたＲＰＲフレームはフィルタ２１によって、データフレームはＤｒｏｐキュー２４へ、制御フレームは制御フレーム処理部２６に振り分けられる。
【００４９】
制御フレームには他のＲＰＲ局２０の運用状態、設定状態を示すトポロジフレームと呼ばれるものがあり、その中にはサブクラスＡ０のＣＩＲ値も情報として入っている。それらの情報を抽出し、トポロジデータベース２７においてＲＰＲ局２０毎に管理される。また制御フレーム生成部２８は自局のトポロジデータを他のＲＰＲ局２０に通知するためのトポロジフレームを生成する機能ブロックである。自局のＡ０  ＣＩＲの設定値はここでトポロジフレームに乗せられ他のＲＰＲ局２０へ通知される。
【００５０】
図６に例示されるように、トポロジデータベース２７は、記述２７ａ、変数２７ｂ、設定値２７ｃ、を含んでいる。本実施の形態２では、従来のクラスＡ０のＣＩＲ値を管理するための管理項目２７ｄ（ｒｅｓｅｒｖｅｄＲａｔｅ［０］、ｒｅｓｅｒｖｅｄＲａｔｅ［１］）に加えて、サブクラスＡ１およびクラスＢのＣＩＲを管理するための管理項目２７ｅ（ｒｅｓｅｒｖｅｄＡ１Ｒａｔｅ［０］、ｒｅｓｅｒｖｅｄＡ１Ｒａｔｅ［１］、ｒｅｓｅｒｖｅｄＢＲａｔｅ［０］、ｒｅｓｅｒｖｅｄＢＲａｔｅ［１］）が設けられている。
【００５１】
これにより、従来のクラスＡ０のみならず、サブクラスＡ１、クラスＢの全てのＣＩＲ値を、個々のＲＰＲ局２０において管理することができる。
ＲＰＲ局２０の間でトポロジ情報を運ぶフレームはＡＴＤ（Ａｔｔｒｉｂｕｔｅ  Ｄｉｓｃｏｖｅｒｙ）フレームが使われており、そのフレームフォーマットやヘッダ情報、ＡＴＤ情報などは全てＩＥＥＥ８０２．１７の１１．３．５章および１１．４章に定義されている。
【００５２】
サブクラスＡ１  ＣＩＲやクラスＢ  ＣＩＲの情報をＲＰＲリング１０上に通知する手段としてはこのＡＴＤフレームを使用する。ＡＴＤフレームにはＩＥＥＥ８０２．１７−Ｆｉｇｕｒｅ１１．１４に示されるｔｙｐｅＬｅｎｇｔｈＶａｌｕｅフィールド（ＩＥＥＥ８０２．１７−Ｆｉｇｕｒｅ１１．１５参照）のｔｙｐｅフィールドでそのＡＴＤフレームが運ぶ情報を定義できる（ＩＥＥＥ８０２．１７−Ｔａｂｌｅ１１．７参照）。そのうちＩＥＥＥ８０２．１７の１１．４．８章に示されるＯｒｇａｎｉｚａｔｉｏｎ−ｓｐｅｃｉｆｉｃ  ＡＴＴを使ってＡ１  ＣＩＲやＢ  ＣＩＲ情報を通知する。
【００５３】
ＩＥＥＥ８０２．１７−Ｆｉｇｕｒｅ１１．２３に示されるＯｒｇａｎｉｚａｔｉｏｎＤａｔａフィールドには以下の情報が書かれる。
１）サブクラスＡ１  またはクラスＢ
２）Ｒｉｎｇｌｅｔ０およびＲｉｎｇｌｅｔ１のＣＩＲ設定値
このフレームを受信したＲＰＲ局２０は、トポロジデータベース２７にＣＩＲ情報を書き込む。
【００５４】
ＲＰＲリング１０上の全てのトポロジデータがトポロジデータベース２７に揃えば、そのＲＰＲ局２０のＣＩＲ管理部２２はＲＰＲリング１０における伝送帯域（Ｒｉｎｇ帯域ＲＢ）の正確な空き容量（空き帯域Ｎｅ）を把握できる。
【００５５】
本実施の形態２では、ＣＩＲ管理部２２が、ＲＰＲリング１０上のあるＲＰＲ局２０においてＲＰＲリング伝送帯域の空き容量（空き帯域Ｎｅ）以上の帯域が必要となるようなＣＩＲ設定がされようとした場合にはその設定を拒否し、適当なアラームによって設定者に警告を与える動作を行う。
【００５６】
図７は、本実施の形態２において、上述のようにして制御フレーム４０を用いて、個々のＲＰＲ局２０間で、サブクラスＡ１  ＣＩＲや、クラスＢ  ＣＩＲの情報を授受する場合の制御フレームの構成例を示す。
【００５７】
制御フレーム４０は、コントロールヘッダ４１、アトリビュートディスカバリペイロード４２およびフレームチェックシーケンス４３を含んでいる。
コントロールヘッダ４１は、図８に例示されるような構成を持つ。すなわち、コントロールヘッダ４１は、ＲＰＲリング１０内での到達寿命を制御するｔｔｌフィールド４１ａ、制御情報が格納されたｂａｓｅＣｏｎｔｒｏｌフィールド４１ｂ、宛先を示すｄａフィールド４１ｃ（この場合、ブロードキャスト）を含んでいる。
【００５８】
アトリビュートディスカバリペイロード４２は、コントロールタイプ４２ａ、バージョン４２ｂ、タイプ・レングス・バリュー４２ｃを含んでいる。
タイプ・レングス・バリュー４２ｃは、“ｒｅｓ１”，“ｔｙｐｅ”，“ｒｅｓ２”，“ｌｅｎｇｔｈ”の各フイールドに区切られ、ａｔｔＤａｔａＵｎｉｔ［ｌｅｎｇｔｈ］が設定される。本実施の形態の場合、図９に例示されるタイプエンコーディングの内、ｖａｌｕｅ＝１０２３、Ｎａｍｅ＝ＡＴＴ＿ＯＲＧ＿ＳＰＥＣＩＦＩＣ（タグの定義名）、Ｌｅｎｇｔｈ＝Ｓｉｚｅ＝４〜１０２３が設定される。
【００５９】
そして、このａｔｔＤａｔａＵｎｉｔ［ｌｅｎｇｔｈ］の部分に、“ｏｒｇａｎｉｚａｔｉｏｎＤａｔａ”として、ｄａｔａ［０］，ｄａｔａ［１］〜ｄａｔａ［ｎ−１］のように、サブクラスＡ１におけるリングレット０，リングレット１の各々のＣＩＲ量、およびクラスＢにおけるリングレット０，リングレット１の各々のＣＩＲ量が設定される。
【００６０】
そして、このような制御フレーム４０を、ＲＰＲ局２０の間で授受し、トポロジデータベース２７の管理項目２７ｄおよび管理項目２７ｅに記録することで、ＲＰＲリング１０に接続された全てのＲＰＲ局２０において、ＣＩＲ管理部２２が、サブクラスＡ０のみならず、サブクラスＡ１、クラスＢのＣＩＲ値も管理することが可能になる。
【００６１】
（実施の形態３）
ＲＰＲリング１０をＳＯＮＥＴ／ＳＤＨ上に構築して情報を伝送するような場合には、ＧＦＰ（Ｇｅｎｅｒｉｃ  Ｆｒａｍｉｎｇ  Ｐｒｏｃｅｄｕｒｅ）フレームを使用してＲＰＲ／ｏｖｅｒ／ＧＦＰ／ｏｖｅｒ／ＳＯＮＥＴとして伝送することが一般的である。
【００６２】
上述の実施の形態２においてはサブクラスＡ１  ＣＩＲおよびクラスＢ  ＣＩＲ情報をＡＴＤフレーム（制御フレーム４０）によって通知していたが、ＧＦＰフレームを用いる場合には、サブクラスＡ１  ＣＩＲおよびクラスＢ  ＣＩＲ情報を他ＲＰＲ局に通知する手法として、ＧＦＰフレームのＥｘｔｅｎｓｉｏｎ  Ｈｅａｄｅｒも使用可能となる。
【００６３】
図１０は、上述のようにフレームを階層化して送る場合に、フレームを構築する動作を行うＲＰＲユニット７０の構成の一例を示す概念図である。
ＲＰＲユニット７０は、複数のイーサネット（登録商標）ポート７４に接続されるＲＰＲ局２０を包含しており、ＧＦＰフレーマー７１およびＶＣＡＴフレーマー７２、を備えている。ＶＣＡＴフレーマー７２は、光通信媒体７３に接続され、この光通信媒体７３上にＲＰＲリング１０が構築される。
【００６４】
すなわち、ＲＰＲ局２０内のＲＰＲフレーマー２９は、ＭＡＣフレーム８１をＲＰＲ＿ＭＡＣフレーム８２にカプセル化し、ＧＦＰフレーマー７１は、さらに、このＲＰＲ＿ＭＡＣフレーム８２をＧＦＰフレーム８３にカプセル化する。
【００６５】
ＶＣＡＴフレーマー７２は、このＧＦＰフレーム８３を、ＶＣＡＴ（Ｖｉｒｔｕａｌ  Ｃｏｎｃａｔｅｎａｔｅ）のＶＣＡＴフレーム８４にマッピングし、さらに、このＶＣＡＴフレーム８４をＳＯＮＥＴフレーム８５にカプセル化して、光通信媒体７３との間で送受信する。
【００６６】
すなわち、ＧＦＰフレーム８３は、タイプフィールド８３ａ、タイプフィールド・エラーチェック・訂正部８３ｂ、拡張ヘッダフィールド８３ｃ、拡張ヘッダフィールド・エラーチェック・訂正部８３ｄを含んでいる。
【００６７】
本実施の形態３では、ＧＦＰフレーム８３の一部（この場合、拡張ヘッダフィールド８３ｃ）に、上述のＲＰＲリング１０を構成する個々のＲＰＲ局２０での、リングレット０、リングレット１に関するクラスＡ１、クラスＢのＣＩＲの設定値を乗せて、ＲＰＲリング１０内の他の全てのＲＰＲ局２０に通知する。
【００６８】
なお、ＧＦＰフレーム８３における拡張ヘッダフィールド８３ｃの使用方法としては、個々のＲＰＲ局２０毎に、たとえば、上述のＲＰＲ局番号３７ａを用いて、拡張ヘッダフィールド８３ｃの特定部位を先頭側から順に割り当て、個々のＲＰＲ局２０では、自局に割り当てられた特定部位に、自局に関するサブクラスＡ１、クラスＢのＣＩＲの設定値を格納する。
【００６９】
これにより、個々のＲＰＲ局２０では、拡張ヘッダフィールド８３ｃにおける、特定部位の先頭部からのオフセット値によって、どのＲＰＲ局２０のＣＩＲの設定値であるかを識別できる。
【００７０】
以上説明したように、本発明の上述の各実施の形態によれば、ＲＰＲリング１０内の全てのＲＰＲ局２０が上述の実施の形態１〜実施の形態３のいずれかの機構を統一して具備していれば、それぞれのＲＰＲ局２０がその他のＲＰＲ局２０におけるサブクラスＡ１およびクラスＢ  ＣＩＲの情報を正確に認識することができる。それによってＲＰＲリング１０の物理的な伝送帯域（Ｒｉｎｇ帯域ＲＢ）を超えるようなＣＩＲの誤設定を防ぐことができる。このことは、ＲＰＲリング１０において、完全に帯域保証されたクラスＢサービスをルータ６０を介して個々のＲＰＲ局２０に接続される末端ユーザに対して提供する能力を具備することを意味する。
【００７１】
なお、本発明は、上述の実施の形態に例示した構成に限らず、その趣旨を逸脱しない範囲で種々変更可能であることは言うまでもない。
（付記１）
複数の通信ノードがリング状伝送路にて接続され、前記通信ノード間で授受されるフレームに複数の優先度が付与された情報ネットワークの制御方法であって、
前記優先度の各々の階層について、個々の前記通信ノードに設定された前記リング状伝送路における帯域保証値を認識する工程と、
任意の前記通信ノードにおいて新たな前記帯域保証値の割り当てを受け付けるとき、現在の前記帯域保証値の総和と新たな前記帯域保証値の割り当て値との和が、前記リング状伝送路の物理的な伝送帯域を超過するか否かを判別する工程と、
を含むことを特徴とする情報ネットワークの制御方法。
（付記２）
付記１記載の情報ネットワークの制御方法において、
前記リング状伝送路は、ＩＥＥＥ８０２．１７に準拠したＲＰＲ（Ｒｅｓｉｌｉｅｎｔ  Ｐａｃｋｅｔ  Ｒｉｎｇ）であり、前記階層は、サブクラスＡ０およびサブクラスＡ１からなるクラスＡと、クラスＢで構成され、前記クラスＡおよびクラスＢについて前記帯域保証値を認識することを特徴とする情報ネットワークの制御方法。
（付記３）
複数の通信ノードがリング状伝送路にて接続され、前記通信ノード間で授受されるフレームに複数の優先度が付与された情報ネットワークの制御方法であって、
前記通信ノードを管理するネットワーク管理装置が、前記優先度の各々の階層について、個々の前記通信ノードに設定された前記リング状伝送路における帯域保証値を収集する工程と、
任意の前記通信ノードにおいて新たな前記帯域保証値の割り当てを受け付けるとき、現在の前記帯域保証値の総和と新たな前記帯域保証値の割り当て値との和が、前記リング状伝送路の物理的な伝送容量を超過するか否かを前記ネットワーク管理装置が判別する工程と、
を含むことを特徴とする情報ネットワークの制御方法。
（付記４）
付記３記載の情報ネットワークの制御方法において、
前記リング状伝送路は、ＩＥＥＥ８０２．１７に準拠したＲＰＲ（Ｒｅｓｉｌｉｅｎｔ  Ｐａｃｋｅｔ  Ｒｉｎｇ）であり、前記階層は、サブクラスＡ０およびサブクラスＡ１からなるクラスＡと、クラスＢで構成され、前記クラスＡおよびクラスＢについて前記帯域保証値を収集することを特徴とする情報ネットワークの制御方法。
（付記５）
複数の通信ノードがリング状伝送路にて接続され、前記通信ノード間で授受されるフレームに複数の優先度が付与された情報ネットワークの制御方法であって、
前記優先度の各々の階層について、個々の前記通信ノードに設定されたリング状伝送路における帯域保証値を全ての前記通信ノードに通知する工程と、
任意の前記通信ノードにおいて新たな前記帯域保証値の割り当てを受け付けるとき、現在の前記帯域保証値の総和と新たな前記帯域保証値の割り当て値との和が、前記リング状伝送路の物理的な伝送帯域を超過するか否かを判別する工程と、
を含むことを特徴とする情報ネットワークの制御方法。
（付記６）
付記５記載の情報ネットワークの制御方法において、
前記リング状伝送路は、ＩＥＥＥ８０２．１７に準拠したＲＰＲ（Ｒｅｓｉｌｉｅｎｔ  Ｐａｃｋｅｔ  Ｒｉｎｇ）であり、前記階層は、サブクラスＡ０およびサブクラスＡ１からなるクラスＡと、クラスＢで構成され、前記クラスＡおよびクラスＢについて前記帯域保証値を、一つの前記通信ノードから他の前記通信ノードに通知することを特徴とする情報ネットワークの制御方法。
（付記７）
複数の通信ノードがリング状伝送路にて接続され、前記通信ノード間で授受される第１フレームに複数の優先度が付与された情報ネットワークの制御方法であって、
前記第１フレームを搬送する別のプロトコル階層の第２フレームの一部を用いて、前記優先度の各々の階層について、個々の前記通信ノードに設定されたリング状伝送路における帯域保証値を全ての前記通信ノードに通知する工程と、
任意の前記通信ノードにおいて新たな前記帯域保証値の割り当てを受け付けるとき、現在の前記帯域保証値の総和と新たな前記帯域保証値の割り当て値との和が、前記リング状伝送路の物理的な伝送帯域を超過するか否かを判別する工程と、
を含むことを特徴とする情報ネットワークの制御方法。
（付記８）
付記５記載の情報ネットワークの制御方法において、
前記リング状伝送路は、ＩＥＥＥ８０２．１７に準拠したＲＰＲ（Ｒｅｓｉｌｉｅｎｔ  Ｐａｃｋｅｔ  Ｒｉｎｇ）であり、前記第２フレームは、前記ＲＰＲに基づく前記第１フレームを包含して搬送するＧＦＰ（Ｇｅｎｅｒｉｃ  Ｆｒａｍｉｎｇ  Ｐｒｏｃｅｄｕｒｅ）に準拠したフレームであることを特徴とする情報ネットワークの制御方法。
（付記９）
リング状伝送路に接続されて情報ネットワークを構成し、前記情報ネットワーク上に流すフレームに複数の優先度を付与する通信ノードであって、
前記優先度の各々の階層について、自通信ノードに設定された前記リング状伝送路における帯域保証値を他の前記通信ノードに通知する通知手段と、
前記リング状伝送路に接続された全ての前記通信ノードにおける前記帯域保証値を記憶する記憶手段と、
自通信ノードにおいて新たな前記帯域保証値の割り当てを受け付けるとき、複数の前記通信ノードにおける現在の前記帯域保証値の総和と新たな前記帯域保証値の割り当て値との和が、前記リング状伝送路の物理的な伝送帯域を超過するか否かを判別する判別手段と、
を含むことを特徴とする通信ノード。
（付記１０）
付記９記載の通信ノードにおいて、
前記リング状伝送路は、ＩＥＥＥ８０２．１７に準拠したＲＰＲ（Ｒｅｓｉｌｉｅｎｔ  Ｐａｃｋｅｔ  Ｒｉｎｇ）であり、前記階層は、サブクラスＡ０およびサブクラスＡ１からなるクラスＡと、クラスＢで構成され、前記記憶手段では、前記クラスＡおよびクラスＢについて前記帯域保証値を記憶することを特徴とする通信ノード。
（付記１１）
複数の通信ノードがリング状伝送路にて接続され、前記通信ノード間で授受されるフレームに複数の優先度が付与された情報ネットワークを管理するネットワーク管理装置であって、
前記優先度の各々の階層について、個々の前記通信ノードに設定されたリング状伝送路における帯域保証値を収集する収集手段と、
任意の前記通信ノードにおいて新たな前記帯域保証値の割り当てを受け付けるとき、現在の前記帯域保証値の総和と新たな前記帯域保証値の割り当て値との和が、前記リング状伝送路の物理的な伝送容量を超過するか否かを判別する判別手段と、
を含むことを特徴とするネットワーク管理装置。
（付記１２）
付記１１記載のネットワーク管理装置において、
前記リング状伝送路は、ＩＥＥＥ８０２．１７に準拠したＲＰＲ（Ｒｅｓｉｌｉｅｎｔ  Ｐａｃｋｅｔ  Ｒｉｎｇ）であり、前記階層は、サブクラスＡ０およびサブクラスＡ１からなるクラスＡと、クラスＢで構成され、前記クラスＡおよびクラスＢについて前記帯域保証値を収集することを特徴とするネットワーク管理装置。
（付記１３）
複数の通信ノードと、前記通信ノード間を接続するリング状伝送路とを含み、前記通信ノード間で授受されるフレームに複数の優先度が付与された情報ネットワークシステムであって、
個々の前記通信ノードは、
前記リング状伝送路に接続された全ての前記通信ノードにおける前記帯域保証値を記憶する記憶手段と、
自通信ノードにおいて新たな前記帯域保証値の割り当てを受け付けるとき、複数の前記通信ノードにおける現在の前記帯域保証値の総和と新たな前記帯域保証値の割り当て値との和が、前記リング状伝送路の物理的な伝送帯域を超過するか否かを判別する判別手段と、
を含むことを特徴とする情報ネットワークシステム。
（付記１４）
付記１３記載の情報ネットワークシステムにおいて、
前記リング状伝送路は、ＩＥＥＥ８０２．１７に準拠したＲＰＲ（Ｒｅｓｉｌｉｅｎｔ  Ｐａｃｋｅｔ  Ｒｉｎｇ）であり、前記階層は、サブクラスＡ０およびサブクラスＡ１からなるクラスＡと、クラスＢで構成され、前記記憶手段は、前記クラスＡおよびクラスＢについて前記帯域保証値を記憶することを特徴とする情報ネットワークシステム。
（付記１５）
複数の通信ノードと、前記通信ノード間を接続するリング状伝送路と、前記通信ノードを管理するネットワーク管理装置とを含み、前記通信ノード間で授受されるフレームに複数の優先度が付与された情報ネットワークシステムであって、
前記ネットワーク管理装置は、
前記優先度の各々の階層について、個々の前記通信ノードに設定されたリング状伝送路における帯域保証値を収集する収集手段と、
任意の前記通信ノードにおいて新たな前記帯域保証値の割り当てを受け付けるとき、現在の前記帯域保証値の総和と新たな前記帯域保証値の割り当て値との和が、前記リング状伝送路の物理的な伝送容量を超過するか否かを判別する判別手段と、
を含むことを特徴とする情報ネットワークシステム。
（付記１６）
付記１５記載の情報ネットワークシステムにおいて、
前記リング状伝送路は、ＩＥＥＥ８０２．１７に準拠したＲＰＲ（Ｒｅｓｉｌｉｅｎｔ  Ｐａｃｋｅｔ  Ｒｉｎｇ）であり、前記階層は、サブクラスＡ０およびサブクラスＡ１からなるクラスＡと、クラスＢで構成され、前記収集手段は、前記クラスＡおよびクラスＢについて前記帯域保証値を収集することを特徴とする情報ネットワークシステム。
（付記１７）
リング状伝送路に接続されて情報ネットワークを構成し、前記情報ネットワーク上に流すフレームに複数の優先度を付与する通信ノードを制御する制御プログラムであって、
前記通信ノードを、
前記優先度の各々の階層について、自通信ノードに設定された前記リング状伝送路における帯域保証値を他の前記通信ノードに通知する通知手段、
前記リング状伝送路に接続された全ての前記通信ノードにおける前記帯域保証値を記憶する記憶手段、
自通信ノードにおいて新たな前記帯域保証値の割り当てを受け付けるとき、複数の前記通信ノードにおける現在の前記帯域保証値の総和と新たな前記帯域保証値の割り当て値との和が、前記リング状伝送路の物理的な伝送帯域を超過するか否かを判別する判別手段、
として機能させることを特徴とする通信ノードの制御プログラム。
（付記１８）
複数の通信ノードがリング状伝送路にて接続され、前記通信ノード間で授受されるフレームに複数の優先度が付与された情報ネットワークを管理するネットワーク管理装置の制御プログラムであって、
前記ネットワーク管理装置に、
前記優先度の各々の階層について、個々の前記通信ノードに設定された前記リング状伝送路における帯域保証値を収集する工程と、
任意の前記通信ノードにおいて新たな前記帯域保証値の割り当てを受け付けるとき、現在の前記帯域保証値の総和と新たな前記帯域保証値の割り当て値との和が、前記リング状伝送路の物理的な伝送容量を超過するか否かを判別する工程と、
を実行させることを特徴とするネットワーク管理装置の制御プログラム。
【図面の簡単な説明】
【００７２】
【図１】本発明の一実施の形態である情報ネットワークシステムの構成の一例を示す概念図である。
【図２】本発明の一実施の形態である情報ネットワークシステムを構成するネットワーク管理システムの構成の一例を示す概念図である。
【図３】本発明の一実施の形態であるネットワーク管理システムが持つデータベースの構成の一例を示す概念図である。
【図４】本発明の一実施の形態であるネットワーク管理システムの作用の一例を示すフローチャートである。
【図５】本発明の他の実施の形態である情報ネットワークを構成するＲＰＲ局の構成例を示す概念図である。
【図６】本発明の他の実施の形態である情報ネットワークを構成するＲＰＲ局に備えられたトポロジデータベースの構成の一例を示す概念図である。
【図７】本発明の他の実施の形態である情報ネットワークを構成するＲＰＲ局の間で授受される制御フレームの構成の一例を示す概念図である。
【図８】本発明の他の実施の形態である情報ネットワークを構成するＲＰＲ局の間で授受される制御フレームの構成をより詳細に例示した概念図である。
【図９】本発明の他の実施の形態である情報ネットワークを構成するＲＰＲ局の間で授受されるＡＴＤフレームの情報設定例を示す概念図である。
【図１０】本発明のさらに他の実施の形態である情報ネットワークを構成するＲＰＲユニットの構成例を示す概念図である。
【図１１】本発明の参考技術であるＲＰＲリングにおけるＣＩＲの設定および運用を説明する概念図である。
【符号の説明】
【００７３】
１０  ＲＰＲリング
１１  リングレット
１２  リングレット
１３  管理用情報ネットワーク
２０  ＲＰＲ局
２１  フィルタ
２１ａ  トランジット・キュー
２２  ＣＩＲ管理部
２３  スケジューラー
２４  Ｄｒｏｐキュー
２５  Ａｄｄキュー
２６  制御フレーム処理部
２７  トポロジデータベース
２７ａ  記述
２７ｂ  変数
２７ｃ  設定値
２７ｄ  管理項目
２７ｅ  管理項目
２８  制御フレーム生成部
２９  ＲＰＲフレーマー
２９ａ  イーサネット（登録商標）ブリッジ
３０  ネットワーク管理システム
３１  ＭＰＵ
３２  主記憶
３２ａ  帯域管理プログラム
３３  ネットワークインターフェイス
３４  外部記憶装置
３５  ユーザインターフェイス
３６  バス
３７  ＣＩＲ値管理データベース
３７ａ  ＲＰＲ局番号
３７ｂ  サブクラスＡ０＿ＣＩＲ値
３７ｃ  サブクラスＡ１＿ＣＩＲ値
３７ｄ  クラスＢ＿ＣＩＲ値
４０  制御フレーム
４１  コントロールヘッダ
４１ａ  ｔｔｌフィールド
４１ｂ  ｂａｓｅＣｏｎｔｒｏｌフィールド
４１ｃ  ｄａフィールド
４２  アトリビュートディスカバリペイロード
４２ａ  コントロールタイプ
４２ｂ  バージョン
４２ｃ  タイプ・レングス・バリュー
４３  フレームチェックシーケンス
６０  ルータ
７０  ＲＰＲユニット
７１  ＧＦＰフレーマー
７２  ＶＣＡＴフレーマー
７３  光通信媒体
７４  イーサネット（登録商標）ポート
８１  ＭＡＣフレーム
８２  ＲＰＲ＿ＭＡＣフレーム
８３  ＧＦＰフレーム
８３ａ  タイプフィールド
８３ｂ  タイプフィールド・エラーチェック・訂正部
８３ｃ  拡張ヘッダフィールド
８３ｄ  拡張ヘッダフィールド・エラーチェック・訂正部
８４  ＶＣＡＴフレーム
８５  ＳＯＮＥＴフレーム
Ｎ  要求帯域
Ｎｅ  空き帯域
ＲＢ  Ｒｉｎｇ帯域
【図２】
2006261825.tif 000003
【図３】
2006261825.tif 000004
【図４】
2006261825.tif 000005
【図６】
2006261825.tif 000006
【図７】
2006261825.tif 000007
【図８】
2006261825.tif 000008
【図１】
2006261825.tif 000009
【図５】
2006261825.tif 000010
【図９】
2006261825.tif 000011
【図１０】
2006261825.tif 000012
【図１１】
2006261825.tif 000013